(57)【要約】【課題】微量放射線及びマイナスイオンによる効能以外の効能を持たせる。【解決手段】表面に指圧凸部１、１ａ…を有する主体部２内に形成した収容空間３内に、微量放射線を放出すると共にマイナスイオンを発生させる芯材４を収容した健康用具を掌中で握って使用すると、微量放射線及びマイナスイオンによる効果の他に、指圧凸部１、１ａ…が掌に押圧されて、筋肉をほぐしたり、血行を良くしたり、つぼを刺激して、上記効果が更に促進される。而も、指を動かしながら使用することで脳細胞が刺激され脳が活性化されるため、リハビリテーション及び痴呆抑止にも有効である。【選択図】        図１
2004344192.tif 000002
【特許請求の範囲】
【請求項１】
表面に指圧凸部を有する主体部内に形成した収容空間内に、微量放射線を放出すると共にマイナスイオンを発生させる芯材を収容したことを特徴とする健康器具。
【請求項２】
主体部を多面体とし、その各頂点を指圧凸部としたことを特徴とする請求項１記載の健康器具。
【請求項３】
芯材を収容空間内で遊動可能としたことを特徴とする請求項１又は２記載の健康器具。
【発明の詳細な説明】
【０００１】
【発明の属する技術分野】
本発明は、微量放射線及びマイナスイオンによる効果を得られ、而も掌中で２個を回しながら握る様に使用する、即ち指を動かしながら使用することで脳の活性化を図る様にした健康器具に関する。
【０００２】
【従来の技術】
現在、放射性稀有元素鉱物から放出される放射線には、微量であれば、身体の細胞を活性化させて新陳代謝を向上させ、免疫機能が向上したり、老化が抑止される防止等の効果、所謂ホルミシス効果があると考えられている。
又、放射線放出による原子、分子のラジカル化や電離作用により発生したマイナスイオンを体内に取り込むことで、体内の酸性化により流動性が著しく低下した血液の血中ｐＨ値が整えられ、流動性が良好になり血行が良くなって冷え性、肩凝りなどが緩和され、新陳代謝が促進されて老廃物が体内に蓄積されずに排出され、自律神経系の調整作用により熟睡することが出来ると共に体内の酸性化により崩れたイオンバランスが改善されることで、脳の疲労が取り除かれ全身の疲労感が軽減されると共にストレスが緩和され、プラス電荷の栄養素の吸収効率を向上させ、健康阻害要因である体内の活性酸素を排除する様にしている。
上記効果を利用したものとしては、放射性稀有元素鉱物の微粉末をセラミックス原料、繊維、合計樹脂等に混ぜて、衣類、寝具類、装飾品、空気清浄機、浴槽用器具等に使用したものが見受けられる（例えば、特許文献１参照）。
【０００３】
【特許文献１】
特開２００３ー４９３１３号公報（第１〜２頁）
【０００４】
【発明が解決しようとする課題】
しかし、上記従来技術のものは、単に身につけたり、室内に設置して使用するだけのものであるため、単に微量放射線及び該微量放射線により発生するマイナスイオンによる効能だけが身体に作用するだけのものであるなど、解決せねばならない課題があった。
【０００５】
【課題を解決するための手段】
本発明は、上記従来技術に基づく、微量放射線及びマイナスイオンによる効能だけが身体に作用する課題に鑑み、表面に指圧凸部を有する主体部内に形成した収容空間内に、微量放射線を放出すると共にマイナスイオンを発生させる芯材を収容した健康用具を掌中で握って使用することによって、微量放射線及びマイナスイオンによる効果の他に、指圧凸部が掌に押圧されて、筋肉をほぐしたり、血行を良くしたり、つぼを刺激して上記効果を更に促進する様にして、上記課題を解決する。而も、本発明に係る健康器具を２個掌中に納めて回す様に指を動かしながら使用すれば、脳細胞が刺激され脳が活性化されるため、リハビリテーション及び痴呆抑止に有効である。
【０００６】
【発明の実施の形態】
以下本発明の一実施例を図面に基づいて説明する。
図１〜３は、本発明に係る健康器具の正面図、該正面図のＸーＸ断面図及びＹーＹ断面図であり、表面に頂点を丸く面取りした指圧凸部１、１ａ…を有する主体部２の収容空間３内に、微量放射線を放出すると共にマイナスイオンを発生させる芯材４を遊動可能に収容している。
主体部２を、各頂点を丸く面取りした多面体（図面上、６面体）に形成した硬質プラスチック製の中空ケースとし、各頂点を指圧凸部１、１ａ…とすると共に、内部に一体形成した筒部５内を芯材４の収容空間３としている。又、主体部２を一対の主体部材２ａ、２ｂで構成し、該主体部材２ａ、２ｂ内に、上記筒部５を形成する筒部材５ａ、５ｂを有し、該筒部材５ａ、５ｂの内部を、主体部材２ａ、２ｂの接合面側で開口する収容凹部３ａ、３ｂとして、該収容凹部３ａ、３ｂにより収容空間３を形成し、該収容空間３内に芯材４を収容している。又、主体部２における収容空間３の外側部位、即ち主体部２と筒部５間に空間部６、６ａ…を形成している。
又、芯材４にあっては、トロン、ラドンなどを含有する放射性稀有元素鉱物の粉末と、マイナスイオンを発生させる物質の粉末をセラミック原料に混合して球状に成形されている。
【０００７】
次に本発明に係る健康器具の作用について説明する。
図４に示す様に、２個の健康器具を、握力強化のために２個のくるみで行う様に、掌中で表面を擦り合わせながら回して位置を変える様に握ることを繰り返し行うと、芯材４から放出される微量放射線によるホルミシス効果や、芯材４及び微量放射線により発生するマイナスイオンによる効果の他に、指先を動かすことで脳細胞が刺激され脳が活性化するため、老化が抑止されたりリラックスさせることが出来、且つ脳梗塞の様な脳疾患による運動障害や、事故、スポーツ障害、リュウマチなどによる機能障害に対するリハビリテーション、並びに痴呆抑止にも効果がある。而も、指先及び掌にはツボが分布していることから、指圧凸部１、１ａ…による刺激で、肩凝りが緩和したり内臓機能が良好になり、健康増進が図られる。
又、上記の様に使用する際に、指を大きく動かさねば回せない様にするために、本発明に係る健康器具を、例えば４面体、６面体の様な少ない面で構成された多面体に形成すれば、１辺が長くなると共に各頂点の角度が小さくなって非常に回し難くなると同時に、上記指圧効果も向上する。特に各面が三角形の６面体に形成すると、回し難さ及び指圧効果を損なわずに掌中に納まり易く形成することが可能になる。
尚、指先及び掌以外の部位のツボに指圧凸部１、１ａ…を押し当てる様にして使用することも当然可能である。
【０００８】
テレビ、パソコン等の電気機器の近傍に本発明に係る健康器具を置くと、該健康器具の芯材４から発生したマイナスイオンにより電気機器から放出されるプラスイオンが中和されて、使用者が体内に取り込むプラスイオン量を極微量に抑えられる。
【０００９】
【発明の効果】
要するに本発明は、主体部２の表面に指圧凸部１、１ａ…を設けたので、該指圧凸部１、１ａ…による指圧効果を具備させることが出来、又上記主体部２内に形成した収容空間３内に、微量放射線及び遠赤外線を放出すると共にマイナスイオンを発生させる芯材４を収容したので、微量放射線によるホルミシス効果、芯材４及び微量放射線により発生するマイナスイオンによる効果を使用者の身体に及ぼすことが出来る。よって、本発明に係る健康器具を単に握るだけで、芯材４から放出される微量放射線及びマイナスイオンによる身体への効果を、指圧凸部１、１ａ…による効果で更に促進することが出来、且つ使用時に指を動かすため、リハビリテーション及び痴呆抑止に役立たせることが出来る。
又、主体部２を多面体とし、その各頂点を指圧凸部１、１ａ…としたので、簡単な形状で指圧凸部１、１ａ…を形成することが出来るため、大量生産化及びコストダウンを図ることが出来る。特に、各面が三角形の６面体に形成すれば、本発明に係る健康器具を２個掌中に納める大きさに形成しても、使用時に大きく指を動かさねば掌中で回せないため、リハビリテーション及び痴呆抑止効果を更に向上させることが出来、而も指圧凸部１、１ａ…の角度が小さくなるため、指圧効果も向上させることが出来る。
又、芯材４を収容空間３内で遊動可能としたので、芯材４中にマイナスイオンが自然発生する物質が含有されていなくても、衝撃を与えることによりマイナスイオンが発生する物質さえ含有されていれば、本発明に係る健康器具を回転させながら掌中で握れば、芯材４が収容空間３の内面に衝突する衝撃でマイナスイオンを発生させることが出来る等その実用的効果甚だ大である。
【図面の簡単な説明】
【図１】本発明に係る健康器具の正面図である。
【図２】図１のＸーＸ断面図である。
【図３】図１のＹーＹ断面図である。
【図４】図１の健康器具の使用例を示す図である。
【符号の説明】
１、１ａ…  指圧凸部
２        主体部
３        収容空間
４        芯材
【図１】
2004344192.tif 000003
【図２】
2004344192.tif 000004
【図３】
2004344192.tif 000005
【図４】
2004344192.tif 000006